(57)【要約】【課題】ホームページの自由なデザインが可能で、かつプリントに適した解像度の画像を載せてプリント可能である。【解決手段】画像のアップロードと、この画像についてのプリントの注文内容を表す注文情報と、をネットワーク経由で注文受付サーバで受け付けるプリント注文システムにおいて、アップロードした画像に対応したアドレスを、注文受付サーバから受け取る。【選択図】図１
2004258938.tif 000002
【特許請求の範囲】
【請求項１】
画像のアップロードと、この画像についてのプリントの注文内容を表す注文情報と、をネットワーク経由で注文受付サーバで受け付けるプリント注文システムにおいて、
前記アップロードした画像に対応したアドレスを、前記注文受付サーバから受け取ることを特徴とするプリント注文システム。
【請求項２】
画像のアップロードと、この画像についてのプリントの注文内容を表す注文情報と、をネットワーク経由で注文受付サーバで受け付けるプリント注文システムにおいて、
前記アップロードした画像のプリント注文画面に対応したアドレスを、前記注文受付サーバから受け取ることを特徴とするプリント注文システム。
【請求項３】
前記アップロードした画像を、元の画像の画像サイズより小さい画像サイズに変換した縮小画像を生成することを特徴とする請求項１または請求項２に記載のプリント注文システム。
【請求項４】
前記注文受付サーバにより生成されたアップロードした画像を、元の画像の画像サイズより小さい画像サイズに変換した縮小画像を受信することを特徴とする請求項１または請求項２に記載のプリント注文システム。
【請求項５】
前記縮小画像と、前記アップロードした画像に対応したアドレスとを関連づけることを生成することを特徴とする請求項３または請求項４に記載のプリント注文システム。
【請求項６】
画像のアップロードと、この画像についてのプリントの注文内容を表す注文情報と、をネットワーク経由で注文受付サーバで受け付けるプリント注文システムにおいて、
前記注文受付サーバで受信した画像を保管し、その画像に対応するアドレスを返信することを特徴とするプリント注文システム。
【請求項７】
画像のアップロードと、この画像についてのプリントの注文内容を表す注文情報と、をネットワーク経由で注文受付サーバで受け付けるプリント注文システムにおいて、
前記注文受付サーバで受信した画像を保管し、その画像のプリント注文画面に対応するアドレスを返信することを特徴とするプリント注文システム。
【請求項８】
前記受信した画像を保管し、その画像の画像サイズより小さい画像サイズに変換した縮小画像を生成して返信することを特徴とする請求項６または請求項７に記載のプリント注文システム。
【請求項９】
前記受信した画像を保管し、その画像の画像サイズより小さい画像サイズに変換した縮小画像を生成し、その画像に対応したアドレスを返信することを特徴とする請求項６または請求項７に記載のプリント注文システム。
【請求項１０】
前記受信した画像を保管し、その画像の画像サイズより小さい画像サイズに変換した縮小画像を生成して指定されたサーバに転送することを特徴とする請求項６または請求項７に記載のプリント注文システム。
【請求項１１】
前記対応するアドレスは、受信した画像のプリント注文受け付けページのアドレスであることを特徴とする請求項６乃至請求項１０のいずれか１項に記載のプリント注文システム。
【請求項１２】
前記プリント注文受け付けページでプリント機能の利用を制限する機能を付加したことを特徴とする請求項１１に記載のプリント注文システム。
【請求項１３】
前記制限とは、画像の管理者に対する許可であることを特徴とする請求項１２に記載のプリント注文システム。
【請求項１４】
前記プリント注文情報を、画像の管理者に送付することを特徴とする請求項６乃至請求項１３のいずれか１項に記載のプリント注文システム。
【請求項１５】
画像のアップロードと、この画像についてのプリントの注文内容を表す注文情報と、をネットワーク経由で注文受付サーバで受け付けるプリント注文システムにおいて、
ホームページで画像ファイルが表示され、その表示された画像から、その画像をプリントするためのサイトまたはページにリンクが張られることを特徴とするプリント注文システム。
【請求項１６】
画像のアップロードと、この画像についてのプリントの注文内容を表す注文情報と、をネットワーク経由で注文受付サーバで受け付けるプリント注文システムにおいて、
ホームページで、表示用にアップロードされた画像から、所定の表示サイズに縮小した画像を生成することを特徴とするプリント注文システム。
【請求項１７】
画像のアップロードと、この画像についてのプリントの注文内容を表す注文情報と、をネットワーク経由で注文受付サーバで受け付けるプリント注文システムにおいて、
ホームページで、画像以外の箇所からそれらの画像をプリントするためのサイトまたはページにリンクが張られることを特徴とするプリント注文システム。
【請求項１８】
前記ホームページに、プリント機能の利用を制限する機能を付加したことを特徴とする請求項１５乃至請求項１７のいずれか１項に記載のプリント注文システム。
【請求項１９】
前記制限とは、画像の管理者に対する許可を必要とすることを特徴とする請求項１８に記載のプリント注文システム。
【請求項２０】
画像のアップロードと、この画像についてのプリントの注文内容を表す注文情報と、をネットワーク経由で注文受付サーバで受け付けるプリント注文方法において、
前記アップロードした画像に対応したアドレスを、前記注文受付サーバから受け取ることを特徴とするプリント注文方法。
【請求項２１】
画像のアップロードと、この画像についてのプリントの注文内容を表す注文情報と、をネットワーク経由で注文受付サーバで受け付けるプリント注文方法において、
前記アップロードした画像のプリント注文画面に対応したアドレスを、前記注文受付サーバから受け取ることを特徴とするプリント注文方法。
【請求項２２】
前記アップロードした画像を、元の画像の画像サイズより小さい画像サイズに変換した縮小画像を生成することを特徴とする請求項２０または請求項２１に記載のプリント注文方法。
【請求項２３】
前記注文受付サーバにより生成されたアップロードした画像を、元の画像の画像サイズより小さい画像サイズに変換した縮小画像を受信することを特徴とする請求項２０または請求項２１に記載のプリント注文方法。
【請求項２４】
前記縮小画像と、前記アップロードした画像に対応したアドレスとを関連づけることを生成することを特徴とする請求項２２または請求項２３に記載のプリント注文方法。
【請求項２５】
画像のアップロードと、この画像についてのプリントの注文内容を表す注文情報と、をネットワーク経由で注文受付サーバで受け付けるプリント注文方法において、
前記注文受付サーバで受信した画像を保管し、その画像に対応するアドレスを返信することを特徴とするプリント注文方法。
【請求項２６】
画像のアップロードと、この画像についてのプリントの注文内容を表す注文情報と、をネットワーク経由で注文受付サーバで受け付けるプリント注文方法において、
前記注文受付サーバで受信した画像を保管し、その画像のプリント注文画面に対応するアドレスを返信することを特徴とするプリント注文方法。
【請求項２７】
前記受信した画像を保管し、その画像の画像サイズより小さい画像サイズに変換した縮小画像を生成して返信することを特徴とする請求項２５または請求項２６に記載のプリント注文方法。
【請求項２８】
前記受信した画像を保管し、その画像の画像サイズより小さい画像サイズに変換した縮小画像を生成し、その画像に対応したアドレスを返信することを特徴とする請求項２５または請求項２６に記載のプリント注文方法。
【請求項２９】
前記受信した画像を保管し、その画像の画像サイズより小さい画像サイズに変換した縮小画像を生成して指定されたサーバに転送することを特徴とする請求項２５または請求項２６に記載のプリント注文方法。
【請求項３０】
前記対応するアドレスは、受信した画像のプリント注文受け付けページのアドレスであることを特徴とする請求項２６乃至請求項２９のいずれか１項に記載のプリント注文方法。
【請求項３１】
前記プリント注文受け付けページでプリント機能の利用を制限する機能を付加したことを特徴とする請求項３０に記載のプリント注文方法。
【請求項３２】
前記制限とは、画像の管理者に対する許可であることを特徴とする請求項３１に記載のプリント注文方法。
【請求項３３】
前記プリント注文情報を、画像の管理者に送付することを特徴とする請求項２６乃至請求項３２のいずれか１項に記載のプリント注文方法。
【請求項３４】
画像のアップロードと、この画像についてのプリントの注文内容を表す注文情報と、をネットワーク経由で注文受付サーバで受け付けるプリント注文方法において、
ホームページで画像ファイルが表示され、その表示された画像から、その画像をプリントするためのサイトまたはページにリンクが張られることを特徴とするプリント注文方法。
【請求項３５】
画像のアップロードと、この画像についてのプリントの注文内容を表す注文情報と、をネットワーク経由で注文受付サーバで受け付けるプリント注文方法において、
ホームページで、表示用にアップロードされた画像から、所定の表示サイズに縮小した画像を生成することを特徴とするプリント注文方法。
【請求項３６】
画像のアップロードと、この画像についてのプリントの注文内容を表す注文情報と、をネットワーク経由で注文受付サーバで受け付けるプリント注文方法において、
ホームページで、画像以外の箇所からそれらの画像をプリントするためのサイトまたはページにリンクが張られることを特徴とするプリント注文方法。
【請求項３７】
前記ホームページに、プリント機能の利用を制限する機能を付加したことを特徴とする請求項３４乃至請求項３６のいずれか１項に記載のプリント注文方法。
【請求項３８】
前記制限とは、画像の管理者に対する許可を必要とすることを特徴とする請求項３７に記載のプリント注文方法。
【発明の詳細な説明】
【０００１】
【発明の属する技術分野】
この発明は、プリント注文システム及びプリント注文方法に関し、さらに詳しくはホームページに掲載する写真画像は画像の管理者によって許可された者のみが簡単に注文できるプリント注文方法及びシステムに関する。
【０００２】
【従来の技術】
ブロードバンド接続が普及することによって、インターネットが益々身近になってきた。常時接続が一般化し、あらゆる情報のやり取りにインターネットが利用されるようになり、大なり小なりさまざまなホームページが作成され、多くのユーザに閲覧されている。ホームページには、企業や公共団体などが作成したもの以外にも、個人や愛好家団体が作成・管理しているものが多数存在している。
【０００３】
これらのホームページに共通して言えることが、内容を面白く、また閲覧する人に興味を持ってもらうために、デザインやレイアウトに凝る以外にも、文字の羅列だけでなく多くのコンテンツを含んでいる。コンテンツの中で最も一般的なのが、写真画像である。特に地域のスポーツクラブや幼稚園・保育園などで管理されているホームページでは、対外試合や合宿や行事などでの子供の写真を掲載していることが多く、特に写真アルバムのページと称して写真画像を主なコンテンツとして、作られているものも少なくない。
【０００４】
このような画像を含んでいるホームページを作成するには、タグを利用してページを作成できるＨＴＭＬを利用したプログラミングや、市販のホームページ作成用ソフトウェアを利用することが良く知られている。
【０００５】
さらに、ネットワーク上にあるサーバに写真画像をアップロードして画像を指定して写真アルバムを作成して、写真アルバムのＵＲＬ（Ｕｎｉｆｏｒｍ  Ｒｅｓｏｕｒｃｅ  Ｌｏｃａｔｏｒ）とパスワードを用いて、仲間で楽しむという技術が開示されている（例えば特許文献１）。
【０００６】
【特許文献１】
特開平１１−２０３３５９号公報（第１〜第１０、図１〜図９）
【０００７】
【発明が解決しようとする課題】
しかしながら、画像のアップロードと、この画像についてのプリントの注文内容を表す注文情報と、をネットワーク経由で注文受付サーバで受け付けるプリント受け付けサイトを管理者のホームページとするには、そのようなサイトのデザイン、機能は貧弱であり、管理者のデザインにならない。
【０００８】
管理者のサイトにプリントに適した解像度の画像を載せると、ホームページの容量が重くなってしまい、容量の制限にひっかかったり、画像の転送に時間がかかったりする。
【０００９】
この発明は、かかる点に鑑みてなされたもので、ホームページの自由なデザインが可能で、かつプリントに適した解像度の画像を載せてプリント可能なプリント注文システム及びプリント注文方法を提供することを目的としている。
【００１０】
【課題を解決するための手段】
前記課題を解決し、かつ目的を達成するように、この発明は、以下のように構成した。
【００１１】
請求項１に記載の発明は、画像のアップロードと、この画像についてのプリントの注文内容を表す注文情報と、をネットワーク経由で注文受付サーバで受け付けるプリント注文システムにおいて、
前記アップロードした画像に対応したアドレスを、前記注文受付サーバから受け取ることを特徴とするプリント注文システムである。
【００１２】
この請求項１に記載の発明によれば、アップロードした画像に対応したアドレスを、注文受付サーバから受け取ることで、画像の管理者がアドレスにより場所を指定することが可能で便利である。
【００１３】
請求項２に記載の発明は、画像のアップロードと、この画像についてのプリントの注文内容を表す注文情報と、をネットワーク経由で注文受付サーバで受け付けるプリント注文システムにおいて、
前記アップロードした画像のプリント注文画面に対応したアドレスを、前記注文受付サーバから受け取ることを特徴とするプリント注文システムである。
【００１４】
この請求項２に記載の発明によれば、アップロードした画像のプリント注文画面に対応したアドレスを、注文受付サーバから受け取ることで、画像の管理者がアドレスにより場所を指定することが可能で便利である。
【００１５】
請求項３に記載の発明は、前記アップロードした画像を、元の画像の画像サイズより小さい画像サイズに変換した縮小画像を生成することを特徴とする請求項１または請求項２に記載のプリント注文システムである。
【００１６】
この請求項３に記載の発明によれば、アップロードした画像を、元の画像の画像サイズより小さい画像サイズに変換した縮小画像を生成することで、好みの大きさの縮小画像が生成されて便利である。
【００１７】
請求項４に記載の発明は、前記注文受付サーバにより生成されたアップロードした画像を、元の画像の画像サイズより小さい画像サイズに変換した縮小画像を受信することを特徴とする請求項１または請求項２に記載のプリント注文システムである。
【００１８】
この請求項４に記載の発明によれば、注文受付サーバにより生成されたアップロードした画像を、元の画像の画像サイズより小さい画像サイズに変換した縮小画像を受信することで、ホームページの容量を減らすことができ、画像の管理者にとって好都合である。
【００１９】
請求項５に記載の発明は、前記縮小画像と、前記アップロードした画像に対応したアドレスとを関連づけることを生成することを特徴とする請求項３または請求項４に記載のプリント注文システムである。
【００２０】
この請求項５に記載の発明によれば、縮小画像と、アップロードした画像に対応したアドレスとを関連づけることを生成することで、画像の管理者は、縮小画像とリンクを使い、ホームページを作成し、好きな場所、サーバで公開できる。
【００２１】
請求項６に記載の発明は、画像のアップロードと、この画像についてのプリントの注文内容を表す注文情報と、をネットワーク経由で注文受付サーバで受け付けるプリント注文システムにおいて、
前記注文受付サーバで受信した画像を保管し、その画像に対応するアドレスを返信することを特徴とするプリント注文システムである。
【００２２】
この請求項６に記載の発明によれば、注文受付サーバで受信した画像を保管し、その画像に対応するアドレスを返信することで、画像の管理者がアドレスにより場所を指定することが可能で便利である。
【００２３】
請求項７に記載の発明は、画像のアップロードと、この画像についてのプリントの注文内容を表す注文情報と、をネットワーク経由で注文受付サーバで受け付けるプリント注文システムにおいて、
前記注文受付サーバで受信した画像を保管し、その画像のプリント注文画面に対応するアドレスを返信することを特徴とするプリント注文システムである。
【００２４】
この請求項７に記載の発明によれば、注文受付サーバで受信した画像を保管し、その画像のプリント注文画面に対応するアドレスを返信することで、画像の管理者がアドレスにより場所を指定することが可能で便利である。
【００２５】
請求項８に記載の発明は、前記受信した画像を保管し、その画像の画像サイズより小さい画像サイズに変換した縮小画像を生成して返信することを特徴とする請求項６または請求項７に記載のプリント注文システムである。
【００２６】
この請求項８に記載の発明によれば、受信した画像を保管し、その画像の画像サイズより小さい画像サイズに変換した縮小画像を生成して返信することで、好みの大きさの縮小画像が生成され便利である。
【００２７】
請求項９に記載の発明は、前記受信した画像を保管し、その画像の画像サイズより小さい画像サイズに変換した縮小画像を生成し、その画像に対応したアドレスを返信することを特徴とする請求項６または請求項７に記載のプリント注文システムである。
【００２８】
この請求項９に記載の発明によれば、受信した画像を保管し、その画像の画像サイズより小さい画像サイズに変換した縮小画像を生成し、その画像に対応したアドレスを返信することで、画像の管理者がアドレスにより場所を指定することが可能で便利である。
【００２９】
請求項１０に記載の発明は、前記受信した画像を保管し、その画像の画像サイズより小さい画像サイズに変換した縮小画像を生成して指定されたサーバに転送することを特徴とする請求項６または請求項７に記載のプリント注文システムである。
【００３０】
この請求項１０に記載の発明によれば、受信した画像を保管し、その画像の画像サイズより小さい画像サイズに変換した縮小画像を生成して指定されたサーバに転送することで、転送する情報量が少なく快適に閲覧ができる。また、画像を複数回アップロードする必要がなくなる。
【００３１】
請求項１１に記載の発明は、前記対応するアドレスは、受信した画像のプリント注文受け付けページのアドレスであることを特徴とする請求項６乃至請求項１０のいずれか１項に記載のプリント注文システムである。
【００３２】
この請求項１１に記載の発明によれば、対応するアドレスは、受信した画像のプリント注文受け付けページのアドレスであることで、画像の管理者がアドレスにより場所を指定することでプリント注文受け付けページが開け、画像の管理者のホームページの容量を減らすことができ、画像の管理者にとって好都合である。
【００３３】
請求項１２に記載の発明は、前記プリント注文受け付けページでプリント機能の利用を制限する機能を付加したことを特徴とする請求項１１に記載のプリント注文システムである。
【００３４】
この請求項１２に記載の発明によれば、プリント注文受け付けページでプリント機能の利用を制限する機能を付加したことで、例えばプリントが欲しい人は画像の管理者に問い合わせるしかなく、画像を無段でプリントされるのを防げることができる。
【００３５】
請求項１３に記載の発明は、前記制限とは、画像の管理者に対する許可であることを特徴とする請求項１２に記載のプリント注文システムである。
【００３６】
この請求項１３に記載の発明によれば、制限とは、画像の管理者に対する許可であり、例えばプリントが欲しい人は画像の管理者に問い合わせるしかなく、画像を無段でプリントされるのを防げることができる。
【００３７】
請求項１４に記載の発明は、前記プリント注文情報を、画像の管理者に送付することを特徴とする請求項６乃至請求項１３のいずれか１項に記載のプリント注文システムである。
【００３８】
この請求項１４に記載の発明によれば、プリント注文情報を、画像の管理者に送付することで、画像の管理者は例えば誰が、どの画像を、何枚プリントしたか等を知ることができる。
【００３９】
請求項１５に記載の発明は、画像のアップロードと、この画像についてのプリントの注文内容を表す注文情報と、をネットワーク経由で注文受付サーバで受け付けるプリント注文システムにおいて、
ホームページで画像ファイルが表示され、その表示された画像から、その画像をプリントするためのサイトまたはページにリンクが張られることを特徴とするプリント注文システムである。
【００４０】
この請求項１５に記載の発明によれば、ホームページで画像ファイルが表示され、その表示された画像から、その画像をプリントするためのサイトまたはページにリンクが張られることで、ホームページの自由なデザインが可能で、かつプリントに適した解像度の画像を載せてプリントが可能である。
【００４１】
請求項１６に記載の発明は、画像のアップロードと、この画像についてのプリントの注文内容を表す注文情報と、をネットワーク経由で注文受付サーバで受け付けるプリント注文システムにおいて、
ホームページで、表示用にアップロードされた画像から、所定の表示サイズに縮小した画像を生成することを特徴とするプリント注文システムである。
【００４２】
この請求項１６に記載の発明によれば、ホームページで、表示用にアップロードされた画像から、所定の表示サイズに縮小した画像を生成することで、表示すべき画像のファイルサイズも小さくなるので、転送時間も短くなり、表示のパフォーマンスが向上する。
【００４３】
請求項１７に記載の発明は、画像のアップロードと、この画像についてのプリントの注文内容を表す注文情報と、をネットワーク経由で注文受付サーバで受け付けるプリント注文システムにおいて、
ホームページで、画像以外の箇所からそれらの画像をプリントするためのサイトまたはページにリンクが張られることを特徴とするプリント注文システムである。
【００４４】
この請求項１７に記載の発明によれば、ホームページで、画像以外の箇所からそれらの画像をプリントするためのサイトまたはページにリンクが張られることで、プリントに適した解像度の画像を載せてプリントが可能である。
【００４５】
請求項１８に記載の発明は、前記ホームページに、プリント機能の利用を制限する機能を付加したことを特徴とする請求項１５乃至請求項１７のいずれか１項に記載のプリント注文システムである。
【００４６】
この請求項１８に記載の発明によれば、ホームページに、プリント機能の利用を制限する機能を付加することで、例えばプリントが欲しい人は画像の管理者に問い合わせるしかなく、画像を無段でプリントされるのを防げることができる。
【００４７】
請求項１９に記載の発明は、前記制限とは、画像の管理者に対する許可を必要とすることを特徴とする請求項１８に記載のプリント注文システムである。
【００４８】
この請求項１９に記載の発明によれば、制限とは、画像の管理者に対する許可を必要とすることで、例えばプリントが欲しい人は画像の管理者に問い合わせるしかなく、画像を無段でプリントされるのを防げることができる。
【００４９】
請求項２０に記載の発明は、画像のアップロードと、この画像についてのプリントの注文内容を表す注文情報と、をネットワーク経由で注文受付サーバで受け付けるプリント注文方法において、
前記アップロードした画像に対応したアドレスを、前記注文受付サーバから受け取ることを特徴とするプリント注文方法である。
【００５０】
この請求項２０に記載の発明によれば、アップロードした画像に対応したアドレスを、注文受付サーバから受け取ることで、画像の管理者がアドレスにより場所を指定することが可能で便利である。
【００５１】
請求項２１に記載の発明は、画像のアップロードと、この画像についてのプリントの注文内容を表す注文情報と、をネットワーク経由で注文受付サーバで受け付けるプリント注文方法において、
前記アップロードした画像のプリント注文画面に対応したアドレスを、前記注文受付サーバから受け取ることを特徴とするプリント注文方法である。
【００５２】
この請求項２１に記載の発明によれば、アップロードした画像のプリント注文画面に対応したアドレスを、注文受付サーバから受け取ることで、画像の管理者がアドレスにより場所を指定することが可能で便利である。
【００５３】
請求項２２に記載の発明は、前記アップロードした画像を、元の画像の画像サイズより小さい画像サイズに変換した縮小画像を生成することを特徴とする請求項２０または請求項２１に記載のプリント注文方法である。
【００５４】
この請求項２２に記載の発明によれば、アップロードした画像を、元の画像の画像サイズより小さい画像サイズに変換した縮小画像を生成することで、好みの大きさの縮小画像が生成されて便利である。
【００５５】
請求項２３に記載の発明は、前記注文受付サーバにより生成されたアップロードした画像を、元の画像の画像サイズより小さい画像サイズに変換した縮小画像を受信することを特徴とする請求項２０または請求項２１に記載のプリント注文方法である。
【００５６】
この請求項２３に記載の発明によれば、注文受付サーバにより生成されたアップロードした画像を、元の画像の画像サイズより小さい画像サイズに変換した縮小画像を受信することで、ホームページの容量を減らすことができ、画像の管理者にとって好都合である。
【００５７】
請求項２４に記載の発明は、前記縮小画像と、前記アップロードした画像に対応したアドレスとを関連づけることを生成することを特徴とする請求項２２または請求項２３に記載のプリント注文方法である。
【００５８】
この請求項２４に記載の発明によれば、縮小画像と、アップロードした画像に対応したアドレスとを関連づけることを生成することで、画像の管理者は、縮小画像とリンクを使い、ホームページを作成し、好きな場所、サーバで公開できる。
【００５９】
請求項２５に記載の発明は、画像のアップロードと、この画像についてのプリントの注文内容を表す注文情報と、をネットワーク経由で注文受付サーバで受け付けるプリント注文方法において、
前記注文受付サーバで受信した画像を保管し、その画像に対応するアドレスを返信することを特徴とするプリント注文方法である。
【００６０】
この請求項２５に記載の発明によれば、注文受付サーバで受信した画像を保管し、その画像に対応するアドレスを返信することで、画像の管理者がアドレスにより場所を指定することが可能で便利である。
【００６１】
請求項２６に記載の発明は、画像のアップロードと、この画像についてのプリントの注文内容を表す注文情報と、をネットワーク経由で注文受付サーバで受け付けるプリント注文方法において、
前記注文受付サーバで受信した画像を保管し、その画像のプリント注文画面に対応するアドレスを返信することを特徴とするプリント注文方法である。
【００６２】
この請求項２６に記載の発明によれば、注文受付サーバで受信した画像を保管し、その画像のプリント注文画面に対応するアドレスを返信することで、画像の管理者がアドレスにより場所を指定することが可能で便利である。
【００６３】
請求項２７に記載の発明は、前記受信した画像を保管し、その画像の画像サイズより小さい画像サイズに変換した縮小画像を生成して返信することを特徴とする請求項２５または請求項２６に記載のプリント注文方法である。
【００６４】
この請求項２７に記載の発明によれば、受信した画像を保管し、その画像の画像サイズより小さい画像サイズに変換した縮小画像を生成して返信することで、好みの大きさの縮小画像が生成され便利である。
【００６５】
請求項２８に記載の発明は、前記受信した画像を保管し、その画像の画像サイズより小さい画像サイズに変換した縮小画像を生成し、その画像に対応したアドレスを返信することを特徴とする請求項２５または請求項２６に記載のプリント注文方法である。
【００６６】
この請求項２８に記載の発明によれば、受信した画像を保管し、その画像の画像サイズより小さい画像サイズに変換した縮小画像を生成し、その画像に対応したアドレスを返信することで、画像の管理者がアドレスにより場所を指定することが可能で、画像を複数回アップロードすることもなくなり、便利である。
【００６７】
請求項２９に記載の発明は、前記受信した画像を保管し、その画像の画像サイズより小さい画像サイズに変換した縮小画像を生成して指定されたサーバに転送することを特徴とする請求項２５または請求項２６に記載のプリント注文方法である。
【００６８】
この請求項２９に記載の発明によれば、受信した画像を保管し、その画像の画像サイズより小さい画像サイズに変換した縮小画像を生成して指定されたサーバに転送することで、転送する情報量が少なく快適に閲覧ができる。また、画像を複数回アップロードすることがなくなる。
【００６９】
請求項３０に記載の発明は、前記対応するアドレスは、受信した画像のプリント注文受け付けページのアドレスであることを特徴とする請求項２６乃至請求項２９のいずれか１項に記載のプリント注文方法である。
【００７０】
この請求項３０に記載の発明によれば、対応するアドレスは、受信した画像のプリント注文受け付けページのアドレスであることで、画像の管理者がアドレスにより場所を指定することでプリント注文受け付けページが開け、画像の管理者のホームページの容量を減らすことができ、画像の管理者にとって好都合である。
【００７１】
請求項３１に記載の発明は、前記プリント注文受け付けページでプリント機能の利用を制限する機能を付加したことを特徴とする請求項３０に記載のプリント注文方法である。
【００７２】
この請求項３１に記載の発明によれば、プリント注文受け付けページでプリント機能の利用を制限する機能を付加したことで、例えばプリントが欲しい人は画像の管理者に問い合わせるしかなく、画像を無段でプリントされるのを防げることができる。
【００７３】
請求項３２に記載の発明は、前記制限とは、画像の管理者に対する許可であることを特徴とする請求項３１に記載のプリント注文方法である。
【００７４】
この請求項３２に記載の発明によれば、制限とは、画像の管理者に対する許可であり、例えばプリントが欲しい人は画像の管理者に問い合わせるしかなく、画像を無段でプリントされるのを防げることができる。
【００７５】
請求項３３に記載の発明は、前記プリント注文情報を、画像の管理者に送付することを特徴とする請求項２６乃至請求項３２のいずれか１項に記載のプリント注文方法である。
【００７６】
この請求項３３に記載の発明によれば、プリント注文情報を、画像の管理者に送付することで、画像の管理者は例えば誰が、どの画像を、何枚プリントしたか等を知ることができる。
【００７７】
請求項３４に記載の発明は、画像のアップロードと、この画像についてのプリントの注文内容を表す注文情報と、をネットワーク経由で注文受付サーバで受け付けるプリント注文方法において、
ホームページで画像ファイルが表示され、その表示された画像から、その画像をプリントするためのサイトまたはページにリンクが張られることを特徴とするプリント注文方法である。
【００７８】
この請求項３４に記載の発明によれば、ホームページで画像ファイルが表示され、その表示された画像から、その画像をプリントするためのサイトまたはページにリンクが張られることで、ホームページの自由なデザインが可能で、かつプリントに適した解像度の画像を載せてプリントが可能である。
【００７９】
請求項３５に記載の発明は、画像のアップロードと、この画像についてのプリントの注文内容を表す注文情報と、をネットワーク経由で注文受付サーバで受け付けるプリント注文方法において、
ホームページで、表示用にアップロードされた画像から、所定の表示サイズに縮小した画像を生成することを特徴とするプリント注文方法である。
【００８０】
この請求項３５に記載の発明によれば、ホームページで、表示用にアップロードされた画像から、所定の表示サイズに縮小した画像を生成することで、表示すべき画像のファイルサイズも小さくなるので、転送時間も短くなり、表示のパフォーマンスが向上する。また、画像を複数回アップロードする必要がなくなる。
【００８１】
請求項３６に記載の発明は、画像のアップロードと、この画像についてのプリントの注文内容を表す注文情報と、をネットワーク経由で注文受付サーバで受け付けるプリント注文方法において、
ホームページで、画像以外の箇所からそれらの画像をプリントするためのサイトまたはページにリンクが張られることを特徴とするプリント注文方法である。
【００８２】
この請求項３６に記載の発明によれば、ホームページで、画像以外の箇所からそれらの画像をプリントするためのサイトまたはページにリンクが張られることで、プリントに適した解像度の画像を載せてプリントが可能である。
【００８３】
請求項３７に記載の発明は、前記ホームページに、プリント機能の利用を制限する機能を付加したことを特徴とする請求項３４乃至請求項３６のいずれか１項に記載のプリント注文方法である。
【００８４】
この請求項３７に記載の発明によれば、ホームページに、プリント機能の利用を制限する機能を付加することで、例えばプリントが欲しい人は画像の管理者に問い合わせるしかなく、画像を無段でプリントされるのを防げることができる。
【００８５】
請求項３８に記載の発明は、前記制限とは、画像の管理者に対する許可を必要とすることを特徴とする請求項３７に記載のプリント注文方法である。
【００８６】
この請求項３８に記載の発明によれば、制限とは、画像の管理者に対する許可を必要とすることで、例えばプリントが欲しい人は画像の管理者に問い合わせるしかなく、画像を無段でプリントされるのを防げることができる。
【００８７】
【発明の実施の形態】
以下、この発明のプリント注文システム及びプリント注文方法の実施の形態を図面に基づいて説明するが、この発明は、この実施の形態に限定されない。
【００８８】
図１はプリント注文システム及びプリント注文方法の実施の形態を示す図である。図１において、ネットワーク１に、注文受付サーバ２、ホームページプロバイダ３、ホームページ管理者端末４が接続され、それぞれネットワーク１を介して通信可能となっている。
【００８９】
ネットワーク１とは、コンピュータ・システム、端未、データ通信設備を相互に接続したものをいう。接続は専用回線、公衆回線のような有線で接続されていても良いし、通信衛星などを通じて無線で接続されていてもよいし、それらの複合形態で接続されていても良い。いわゆるインターネットなどもネットワークに含まれる。
【００９０】
注文受付サーバ２とは、ネットワーク１を介して閲覧用画像がアップロードされ、ホームページに掲載する写真アルバムの閲覧用画像、情報等が登録される。
【００９１】
ホームページプロバイダ３は、インターネット接続サービスを行なう。
【００９２】
ホームページ管理者端末４は、パーソナルコンピュータ、携帯情報端末（ＰＤＡ）、携帯電話等で文字情報と画像情報の送受信が可能な電子機器端末であればよい。パーソナルコンピュータや携帯情報端末（ＰＤＡ）では、デジタルカメラと接続したり、画像を記録した記録媒体をセットして画像の取り込みを行ない、またスキャナ等から画像の取り込みを行なうことができる。カメラを備える携帯電話では、カメラの撮像で画像の取り込みを行なうことができ、カメラを備えない携帯電話では、他の電子機器からの通信により画像を受信して画像の取り込みを行なうことができる。
【００９３】
ホームページの画像の管理者は、ホームページ管理者端末４からネットワーク１上の注文受付サーバ２へ閲覧用画像をアップロードして、ホームページを閲覧するＵＲＬ以外のサイトに写真アルバムを作成すると共に、写真アルバムの閲覧許可者の個人情報を登録する。
【００９４】
また、写真アルバムの閲覧許可を受けた者、あるいは写真アルバムの閲覧許可を希望する者が、ホームページ管理者端末４を使用する。
【００９５】
このホームページ管理者端末４でのシステム起動画面を図２及び図３に示す。図２は画像アップロード前の画面であり、図３は画像アップロード後の画面である。
【００９６】
この実施の形態のシステム起動画面４０には、フォルダ毎に画像ファイルを追加するフォルダ追加ボタン４１、画像ファイルを追加するファイル追加ボタン４２、画像ファイルをリストから削除するファイル削除ボタン４３、縮小画素サイズを指定する縮小画素指定ボタン４４、画像ファイルを確認後に画像のアップロードを行なうアップロードボタン４５、画像のアップロードを中止する中止ボタン４６、リンク先を保存するリンク先ボタン４７及び画像ファイルリスト４８が設けられている。このシステム起動画面４０は注文受付サーバ２にアクセスした時に表示されても良いし、このようなプログラムを注文受付サーバ２が配布しても良い。
【００９７】
また、画像ファイルリスト４８には、元ファイル４８ａ、画素サイズ４８ｂ、ファイルサイズ４８ｃ、縮小画素サイズ４８ｄ、縮小ファイルサイズ４８ｅ、縮小ファイル名４８ｆ、リンク４８ｇ、プリント４８ｈ、転送４８ｉの各欄設けられている。
【００９８】
図２の画像アップロード前の画面において、この実施の形態では、ｄｓｃｋ００００．ｊｐｇという画像ファイルをアップロードする例を示しており、画像ファイル毎に画素サイズ、ファイルサイズ、縮小画素サイズがそれぞれ決まっている。ここでは、幅２０００、高さ１５００ピクセルであるとする。ホームページで表示するには大きすぎるが、良好なプリントを得るには必要な画素数である。プリント許可方法を指定し、ａｌｌは誰でもプリント可、ｎｏは誰もプリント不可、ｐａｓｓｗｏｒｄはパスワード設定を示す。パスワード自体は別に設定する必要があり、パスワードを指定することでプリントが可能である。
【００９９】
画像ファイルを確認後に画像のアップロードを行なうアップロードボタン４５をクリックし、注文受付サーバ２に画像をアップロードする（図１にステップ▲１▼で示す）。
【０１００】
多数の画像を一つ一つ送るのは手間がかかるので、画像を複数登録し、それを一度にアップロードすることが望ましい。アップロードは、ｈｔｔｐやｆｔｐや、メール添付ファイルなどの方法が選べることが望ましい。
【０１０１】
縮小画素サイズの指定には、例えば、ｗｉｄｔｈ＝”１００”  ｈｅｉｇｈｔ＝”７５”
というようなコマンドを送信することで実施できる。
【０１０２】
図３の画像アップロード後の画面において、この実施の形態では、転送が完了すると「ｏｋ」が表示され、生成された縮小画像サイズ４８ｅと、その縮小ファイル名４８ｆが表示される。ホームページを作るときには、縮小画像を作るので、この画像アップロードによって好みの大きさの縮小画像が生成され、この画像はプリント受け付けサイトに自動的にアップロードされる。
【０１０３】
この実施の形態では、生成または受信した画像を、例えばｓｍａｌｌ＿ｄｓｃｋ００００．ｊｐｇとする。
【０１０４】
また、ｄｓｃｋ００００．ｊｐｇに対応したアドレスを注文受付サーバ２が作成する。例えばｈｔｔｐ：／／ｋｏｎｉｃａ−ｐｒｉｎｔ−ｏｒｄｅｒ．ｊｐ／ｏｒｄｅｒ＿ｄｓｃｋ００００．ｈｔｍｌ／とする（図１にステップ▲２▼で示す）。
【０１０５】
それらの関連づけは、
＜ａ  ｈｒｅｆ＝”ｈｔｔｐ：／／ｋｏｎｉｃａ−ｐｒｉｎｔ−ｏｒｄｅｒ．ｊｐ／ｏｒｄｅｒ＿ｄｓｃｋ００００．ｈｔｍｌ／”＞＜ｉｍｇ  ｓｒｃ＝”ｓｍａｌｌ＿ｄｓｃｋ００００．ｊｐｇ”ｗｉｄｔｈ＝”１００”  ｈｅｉｇｈｔ＝”７５”  ＞＜／ａ＞
というｈｔｍｌタグを生成することで行うことができる。
【０１０６】
このｈｔｍｌタグをブラウザで実行してｓｍａｌｌ＿ｄｓｃｋ００００．ｊｐｇを表示すると、その画像をクリックすると、リンクの張られたｈｔｔｐ：／／ｋｏｎｉｃａ−ｐｒｉｎｔ−ｏｒｄｅｒ．ｊｐ／ｏｒｄｅｒ＿ｄｓｃｋ００００．ｈｔｍｌ
に飛んでいく。リンク先の保存は、ｈｔｍｌ、タグ形式でも、テキスト形式でも良い。
【０１０７】
画像の管理者は、この縮小画像とリンクを使い、自分のホームページを作成し、好きな場所、サーバで公開できる。
【０１０８】
このように、アップロードした画像のプリント注文画面に対応したアドレスを、注文受付サーバ２から受け取ることで、画像の管理者がアドレスにより場所を指定することが可能で、画像を複数回アップロードすることもなくなり、便利である。また、アップロードした画像に対応したアドレスを、注文受付サーバ２から受け取ることもできる。
【０１０９】
また、アップロードした画像を、元の画像の画像サイズより小さい画像サイズに変換した縮小画像を生成することで、好みの大きさの縮小画像が生成される（図１にステップ▲３▼−１で示す）。これはホームページ管理者が端末で行なうが、この縮小のためのプログラムを注文受付サーバ２が配布しても良い。
【０１１０】
また、注文受付サーバ２により生成されたアップロードした画像を、元の画像の画像サイズより小さい画像サイズに変換した縮小画像を受信することで（図１にステップ▲３▼−２で示す）、ホームページの容量を減らすことができ、画像の管理者にとって好都合である。
【０１１１】
この実施の形態の注文受付サーバ２では、ｄｓｃｋ００００．ｊｐｇを受信するとｈｔｔｐ：／／ｋｏｎｉｃａ−ｐｒｉｎｔ−ｏｒｄｅｒ．ｊｐ／ｏｒｄｅｒ＿ｄｓｃｋ００００．ｈｔｍｌというｈｔｍｌタグを生成し、返送する。
【０１１２】
指定の画像サイズに変換したｓｍａｌｌ＿ｄｓｃｋ００００．ｊｐｇを生成し、返送する。
【０１１３】
方式は、ｈｔｔｐやｆｔｐや、メール添付ファイルなどの方法が選べることが望ましい。
【０１１４】
また、画像の管理者が、ホームページを開こうという場所を指定しておけば、そこに縮小画像を転送しておくこともできる。
【０１１５】
これにより、画像の管理者が画像を複数回アップロードすることもなくなり、便利である。
【０１１６】
縮小画像の画面サイズは、画像ごとに指定できることが望ましい。
【０１１７】
また、縮小画像のアドレスを受け取り、それをホームページからリンクすることにした場合、自分のホームページの容量を減らすことができ、画像の管理者にとって好都合である。
【０１１８】
注文の際、プリントサイズ、枚数、プリント形式（マグカップやＴシャツやカレンダーへのプリントなど）が選択できることが望ましい。
【０１１９】
ｈｔｔｐ：／／ｋｏｎｉｃａ−ｐｒｉｎｔ−ｏｒｄｅｒ．ｊｐ／ｏｒｄｅｒ＿ｄｓｃｋ００００．ｈｔｍｌで開くページは、ｄｓｃｋ００００．ｊｐｇのプリント受け付け画面とするが、そこではプリントを注文するものが、プリントの許可を得ているかをチェックする項目がある。それは、画像の管理者の与えるパスワードでもよい。また、念のためパスワードには有効期間やプリント可能枚数制限があることが望ましい。
【０１２０】
プリントが欲しい人は画像の管理者に問い合わせるしかなく、これにより写真がプリントされるのを防げる。
【０１２１】
注文の際、注文者の氏名、送付先、決済方法を記入させ、それを画像管理者に送付することが望ましい。その方法は、ｈｔｔｐやｆｔｐや、メール添付ファイルなどの方法が選べることが望ましい。
【０１２２】
このように、注文受付サーバ２では、注文受付サーバ２で受信した画像を保管し、その画像のプリント注文画面に対応するアドレスを返信することで（図１にステップ▲２▼で示す）、画像の管理者がアドレスにより場所を指定することが可能で便利である。
【０１２３】
また、受信した画像を保管し、その画像に対応するアドレスを返信することで、画像の管理者がアドレスにより場所を指定することが可能である。
【０１２４】
また、受信した画像を保管し、その画像の画像サイズより小さい画像サイズに変換した縮小画像を生成して返信することで（図１にステップ▲３▼−１で示す）、好みの大きさの縮小画像が生成され、注文受付サーバに自動的にアップロードできる。
【０１２５】
また、受信した画像を保管し、その画像の画像サイズより小さい画像サイズに変換した縮小画像を生成し、その画像に対応したアドレスを返信することで（図１にステップ▲３▼−２で示す）、画像の管理者がアドレスにより場所を指定することが可能で便利である。
【０１２６】
また、プリント注文受け付けページでプリント機能の利用を制限する機能を付加したことで、例えばプリントが欲しい人は画像の管理者に問い合わせるしかなく、画像を無断でプリントされるのを防げることができる。制限とは、画像の管理者に対する許可であり、例えばプリントが欲しい人は画像の管理者に問い合わせるしかなく、画像を無断でプリントされるのを防げることができる。
【０１２７】
また、プリント注文情報を、画像の管理者に送付することができ、この場合、画像の管理者は例えば誰が、どの画像を、何枚プリントしたか等を知ることができる。
【０１２８】
この実施の形態のホームページプロバイダ３には、ホームページ管理者端末４から作成したホームページコンテンツのアップロードが行なわれる（図１にステップ▲４▼で示す）。
【０１２９】
通常のホームページでの画像表示命令は、次にようである。
＜ｉｍｇ  ｓｒｃ＝”ｄｓｃｋ００００．ｊｐｇ”ｗｉｄｔｈ＝”１００”ｈｅｉｇｈｔ＝”７５”＞
この命令は、表示すべき画像ファイル名称ｄｓｃｋ００００．ｊｐｇを指定している。ここでは、幅２０００、高さ１５００ピクセルであるとする。ホームページで表示するには大きすぎるが、良好なプリントを得るには必要な画素数である。
【０１３０】
ｗｉｄｔｈ＝”１００”ｈｅｉｇｈｔ＝”７５”
この命令は、ホームページ上で、ｄｓｃｋ００００．ｊｐｇを幅１００ピクセル，高さ７５ピクセルで表示するというコマンド部分である。この大きさであれば、ホームページ上での自由なレイアウトがしやすい。
【０１３１】
＜ｉｍｇ  ｓｒｃ＝”ｄｓｃｋ００００．ｊｐｇ”ｗｉｄｔｈ＝”１００”  ｈｅｉｇｈｔ＝”７５”＞という命令と、画像ファイルｄｓｃｋ００００．ｊｐｇがアップロードされると、ホームページプロパイダのサイトでは次のように命令が置き換えられる。
【０１３２】
作成したホームページコンテンツのアップロードは、
＜ａ  ｈｒｅｆ＝”ｈｔｔｐ：／／ｋｏｎｉｃａ−ｐｒｉｎｔ−ｏｒｄｅｒ．ｊｐ／ｏｒｄｅｒ＿ｄｓｃｋ００００．ｈｔｍｌ／”＞＜ｉｍｇ  ｓｒｃ＝”ｓｍａｌｌ＿ｄｓｃｋ００００．ｊｐｇ”ｗｉｄｔｈ＝”１００”  ｈｅｉｇｈｔ＝”７５”＞＜／ａ＞という命令文と、ｓｍａｌｌ＿ｄｓｃｋ．ｊｐｇという画像のアップロードにより行なわれる。この置き換えはホームページ管理者が行なうが、このような置き換えの命令を生成するプログラムを注文受付サーバ２が配布しても良い。
【０１３３】
ｓｍａｌｌ＿ｄｓｃｋ００００．ｊｐｇは幅２０００、高さ１５００ピクセルのｄｓｃｋ００００．ｊｐｇを幅１００ピクセル、高さ７５ピクセルに縮小したものである。この作成は、図１のステップ▲３▼−１または図１のステップ▲３▼−２で行なわれる。
【０１３４】
こうすることで、表示すべき画像のファイルサイズも小さくなるので、転送時間も短くなり、表示のパフォーマンスが向上する。
【０１３５】
表示された画像ｓｍａｌｌ＿ｄｓｃｋ００００．ｊｐｇをクリックするとプリント注文サイトｈｔｔｐ：／／ｋｏｎｉｃａ−ｐｒｉｎｔ−ｏｒｄｅｒ．ｊｐ／の、ｄｓｃｋ００００．ｊｐｇの注文画面ｏｒｄｅｒ＿ｄｓｃｋ００００．ｈｔｍｌが開く。
【０１３６】
このように、ホームページを見た者が画像をクリックすることで、注文受付サーバ２にてプリント注文が可能になる（図１にステップ▲５▼で示す）。このサイトでのプリント注文では、もちろん幅２０００、高さ１５００ピクセルのｄｓｃｋ００００．ｊｐｇを用いて良好なプリントを提供する。
【０１３７】
このように、ホームページは、自分のホームページに縮小画面を貼り、そこに指定のハイパーリンクを付ける。ハイパーリンクの文字列と、縮小画像のファイル名は、一目で分かることが望ましい。例えば、下８桁が同じ、など。
【０１３８】
これにより、ホームページは縮小画像を作ることや、ホームページを見た人からプリントを要求されると言ったわずらわしさから解放され、デザインの自由度のあるホームページを作り公開することができる。縮小画像にまずアクセスするので、転送する情報量が少なく快適に閲覧ができる。
【０１３９】
図４に注文画面を示す。この実施の形態の注文画面５０には、注文画像のクリックボタン５０ａ、パスワード入力のクリックボタン５０ｂ、プリントサイズ、枚数指定のクリックボタン５０ｃ、プリント届先入力のクリックボタン５０ｄ、支払い方法入力のクリックボタン５０ｅがある。注文画像のクリックボタン５０ａをクリックすると、画像５１がクリック毎に切り替わって表示される。パスワード入力のクリックボタン５０ｂをクリックすると、パスワード入力とメールアドレスとを入力する画面が表示され、それぞれ入力する。プリント届先入力のクリックボタン５０ｄをクリックし、名前、住所、あるいは取扱店等を入力する。
【０１４０】
図５はメールでプリント許可を与えるための画面である。このメールでプリント許可を与えるための画面５５で、氏名５５ａ、メールアドレス５５ｂ、プリント理由５５ｃ等を記入し、送信ボタン５５ｄを押すと、ｘｘｘｘｘ＠ｘｘｘｘｘ．ｘｘにメールが飛び、ホームページ管理者端末４ではメールを受け取り、プリントさせてよければ、パスワードを返信により送る。プリントさせたくなければ、プリント断りのメールを出す。
【０１４１】
図６はプリント注文システム及びプリント注文方法の他の実施の形態を示す図である。この実施の形態では、注文受付サーバ２で受信した画像を保管し、その画像の画像サイズより小さい画像サイズに変換した縮小画像を生成して指定されたホームページプロバイダ３を介してサーバに転送する（図６にステップ▲２▼で示す）。このように、受信した画像を注文受付サーバ２で保管し、その画像の画像サイズより小さい画像サイズに変換した縮小画像を生成して指定されたサーバに転送することで、ホームページ管理者は命令文のみホームページプロバイダに転送すれば良く、転送量が少なくなり便利である。この命令文を生成するためのプログラムを注文受付サーバ２が配布しても良い。
【０１４２】
図７はプリント注文システム及びプリント注文方法の他の実施の形態を示す。
【０１４３】
この実施の形態では、ホームページ管理者端末４からｄｓｃｋ００００．ｊｐｇという画像と、
＜ｉｍｇ  ｓｒｃ＝”ｄｓｃｋ００００．ｊｐｇ”  ｗｉｄｔｈ＝”１００”ｈｅｉｇｈｔ＝”７５”  ｐｒｉｎｔｏｒｄｅｒ＝”Ｋｏｎｉｃａ−  ｐｒｉｎｔ−ｏｒｄｅｒ．ｊｐ”＞
というコマンドを注文受付サーバ２にアップロードした時に、（図７にステップ▲１▼で示す）、注文受付サーバ２が生成した画像を、例えばｓｍａｌｌ＿ｄｓｃｋ００００．ｊｐｇとする（図７にステップ▲２▼で示す）。
【０１４４】
この生成した画像は、元のｄｓｃｋ００００．ｊｐｇを幅１００、ピクセル高さ７５ピクセルに縮小したもので、これはｗｉｄｔｈ＝”１００”  ｈｅｉｇｈｔ＝”７５”という命令に従ったものである。
【０１４５】
次に、注文受付サーバ２がタグを、＜ａ  ｈｒｅｆ＝”  ｈｔｔｐ：／／ｋｏｎｉｃａ−ｐｒｉｎｔ−ｏｒｄｅｒ．ｊｐ／ｏｒｄｅｒ＿ｄｓｃｋ００００．ｈｔｍｌ／”＞＜ｉｍｇ  ｓｒｃ＝”ｓｍａｌｌ＿ｄｓｃｋ００００．ｊｐｇ”  ｗｉｄｔｈ＝”１００”  ｈｅｉｇｈｔ＝”７５”＞＜／ａ＞のように自動的に作り替える（図７にステップ▲３▼で示す）。
【０１４６】
図７▲１▼−▲２▼＜ｉｍｇ  ｓｒｃ＝”ｄｓｃｋ００００．ｊｐｇ”ｗｉｄｔｈ＝”１００”  ｈｅｉｇｈｔ＝”７５”  ｐｒｉｎｔｏｒｄｅｒ＝”ｋｏｎｉｃａ−ｐｒｉｎｔ−ｏｒｄｅｒ．ｊｐ”＞のようなオプションが無い場合は、プリント注文のサイトに飛ばないようにすることで、プリント注文されたくないものの注文は制限することができる。
【０１４７】
また、図７▲１▼−▲３▼のように＜ｉｍｇ  ｓｒｃ＝”ｄｓｃｋ００００．ｊｐｇ”ｗｉｄｔｈ＝”１００”  ｈｅｉｇｈｔ＝”７５”  ｐｒｉｎｔｏｒｄｅｒ＝”ｎｏ”＞とし、
積極的に、ｐｒｉｎｔｏｒｄｅｒ＝”ｎｏ”というオプションで制限を示しても良い。
【０１４８】
図８において、＜ｉｍｇ  ｓｒｃ＝”ｄｓｃｋ００００．ｊｐｇ”ｗｉｄｔｈ＝”１００”  ｈｅｉｇｈｔ＝”７５”  ｐｒｉｎｔｏｒｄｅｒ＝”ｈｔｔｐ：／／  ｋｏｎｉｃａ−ｐｒｉｎｔ−ｏｒｄｅｒ．ｊｐ  ／ａｓｋ＿ｐｅｒｍｉｓｓｉｏｎ．ｈｔｍｌ”＞という命令と画像ｄｓｃｋ００００．ｊｐｇがアップロードされると、プリント許可の必要なプリント注文受付画面とｓｍａｌｌ＿ｄｓｃｋ００００．ｊｐｇがリンクされる。
【０１４９】
すなわちアップロード後は注文受付サーバ２の動作によりこのようにタグは付け変わる。
【０１５０】
＜ａ  ｈｒｅｆ＝”ｈｔｔｐ：／／ｋｏｎｉｃａ−ｐｒｉｎｔ−ｏｒｄｅｒ．ｊｐ／ａｓｋ＿ｐｅｒｍｉｓｓｉｏｎ＿ｄｓｃｋ００００．ｈｔｍｌ／  ”＞＜ｉｍｇ  ｓｒｃ＝”ｓｍａｌｌ＿ｄｓｃｋ００００．ｊｐｇ”  ｗｉｄｔｈ＝”１００”  ｈｅｉｇｈｔ＝”７５”＞＜／ａ＞
そこで開くページｈｔｔｐ：／／ｋｏｎｉｃａ−ｐｒｉｎｔ−ｏｒｄｅｒ．ｊｐ／ａｓｋ＿ｐｅｒｍｉｓｓｉｏｎ＿ｄｓｃｋ００００．ｈｔｍｌ／では、連絡先など、注文する側の情報を入れなければプリント注文ができない注文ページである。
【０１５１】
図９において、＜ｉｍｇ  ｓｒｃ＝”ｄｓｃｋ００００．ｊｐｇ”ｗｉｄｔｈ＝”１００”  ｈｅｉｇｈｔ＝”７５”  ｐｒｉｎｔｏｒｄｅｒ＝”ａｓｋｍａｉｌｔｏ：ｘｘｘｘｘ＠ｘｘｘｘｘ．ｘｘ”＞
という命令と画像ｄｓｃｋ００００．ｊｐｇがアップロードされると、プリント許可の必要なプリント注文受付画面と、ｓｍａｌｌ＿ｄｓｃｋ００００．ｊｐｇがリンクされる。
【０１５２】
すなわちアップロード後には注文受付サーバ２の動作によりこのようにタグは付け変わる。
【０１５３】
＜ａ  ｈｒｅｆ＝”ｈｔｔｐ：／／ｋｏｎｉｃａ−ｐｒｉｎｔ−ｏｒｄｅｒ．ｊｐ／ａｓｋ＿ｍａｉｌｔｏ：ｘｘｘｘｘ＠ｘｘｘｘｘ．ｘｘ／”＞
＜ｉｍａｇｅ  ｓｒｃ＝”ｓｍａｌｌ＿ｄｓｃｋ００００．ｊｐｇ”ｗｉｄｔｈ＝”１００”  ｈｅｉｇｔｈ＝”７５”＞＜／ａ＞
ｓｍａｌｌ＿ｄｓｃｋ００００．ｊｐｇをクリックすると、
ｈｔｔｐ：／／ｋｏｎｉｃａ−ｐｒｉｎｔ−ｏｒｄｅｒ．ｊｐ／ａｓｋ＿ｍａｉｌｔｏ：ｘｘｘｘｘ＠ｘｘｘｘｘ．ｘｘという図５のようなページが開き、そこではｘｘｘｘｘ＠ｘｘｘｘｘ．ｘｘへ許可を願うメールを出すことを促すようになっている。
【０１５４】
図８及び図９はアップロードする時の命令により実際のホームページの運用が、違ってくることを説明している。
【０１５５】
図１０に示すように、ホームページ６０で画像ファイルが表示され、その表示された画像から、その画像をプリントするためのサイトまたはページにリンクが張られることで、ホームページ６０の自由なデザインが可能で、かつプリントに適した解像度の画像を載せてプリントが可能である。
【０１５６】
また、ホームページ６０で、表示用にアップロードされた画像から、所定の表示サイズに縮小した画像を生成することで、表示すべき画像のファイルサイズも小さくなるので、転送時間も短くなり、表示のパフォーマンスが向上する。
【０１５７】
また、ホームページ６０で、複数の画像６０ａ〜６０ｃ以外の箇所からそれらの画像をプリントするためのサイトまたはページにリンクが張られている。
【０１５８】
ここではｈｔｍｌで説明したが、ネットワーク上で利用できる他の言語、技術を用いてもこの発明を実施できる。
【０１５９】
【発明の効果】
前記したように、請求項１及び請求項２０に記載の発明では、アップロードした画像に対応したアドレスを、注文受付サーバから受け取ることで、画像の管理者がアドレスにより場所を指定することが可能で便利である。
【０１６０】
請求項２及び請求項２１に記載の発明では、アップロードした画像のプリント注文画面に対応したアドレスを、注文受付サーバから受け取ることで、画像の管理者がアドレスにより場所を指定することが可能で便利である。
【０１６１】
請求項３及び請求項２２に記載の発明では、アップロードした画像を、元の画像の画像サイズより小さい画像サイズに変換した縮小画像を生成することで、好みの大きさの縮小画像が生成され便利である。
【０１６２】
請求項４及び請求項２３に記載の発明では、注文受付サーバにより生成されたアップロードした画像を、元の画像の画像サイズより小さい画像サイズに変換した縮小画像を受信することで、ホームページの容量を減らすことができ、画像の管理者にとって好都合である。
【０１６３】
請求項５及び請求項２４に記載の発明では、縮小画像と、アップロードした画像に対応したアドレスとを関連づけることを生成することで、画像の管理者は、縮小画像とリンクを使い、ホームページを作成し、好きな場所、サーバで公開できる。
【０１６４】
請求項６及び請求項２５に記載の発明では、注文受付サーバで受信した画像を保管し、その画像に対応するアドレスを返信することで、画像の管理者がアドレスにより場所を指定することが可能で便利である。
【０１６５】
請求項７及び請求項２６に記載の発明では、注文受付サーバで受信した画像を保管し、その画像のプリント注文画面に対応するアドレスを返信することで、画像の管理者がアドレスにより場所を指定することが可能で便利である。
【０１６６】
請求項８及び請求項２７に記載の発明では、受信した画像を保管し、その画像の画像サイズより小さい画像サイズに変換した縮小画像を生成して返信することで、好みの大きさの縮小画像が生成され便利である。
【０１６７】
請求項９及び請求項２８に記載の発明では、受信した画像を保管し、その画像の画像サイズより小さい画像サイズに変換した縮小画像を生成し、その画像に対応したアドレスを返信することで、画像の管理者がアドレスにより場所を指定することが可能で便利である。
【０１６８】
請求項１０及び請求項２９に記載の発明では、受信した画像を保管し、その画像の画像サイズより小さい画像サイズに変換した縮小画像を生成して指定されたサーバに転送することで、転送する情報量が少なく快適に閲覧ができる。
【０１６９】
請求項１１及び請求項３０に記載の発明では、対応するアドレスは、受信した画像のプリント注文受け付けページのアドレスであることで、画像の管理者がアドレスにより場所を指定することでプリント注文受け付けページが開け、画像の管理者のホームページの容量を減らすことができ、画像の管理者にとって好都合である。
【０１７０】
請求項１２及び請求項３１に記載の発明では、プリント注文受け付けページでプリント機能の利用を制限する機能を付加したことで、例えばプリントが欲しい人は画像の管理者に問い合わせるしかなく、画像を無断でプリントされるのを防げることができる。
【０１７１】
請求項１３及び請求項３２に記載の発明では、制限とは、画像の管理者に対する許可であり、例えばプリントが欲しい人は画像の管理者に問い合わせるしかなく、画像を無断でプリントされるのを防げることができる。
【０１７２】
請求項１４及び請求項３３に記載の発明では、プリント注文情報を、画像の管理者に送付することで、画像の管理者は例えば誰が、どの画像を、何枚プリントしたか等を知ることができる。
【０１７３】
請求項１５及び請求項３４に記載の発明では、ホームページで画像ファイルが表示され、その表示された画像から、その画像をプリントするためのサイトまたはページにリンクが張られることで、ホームページの自由なデザインが可能で、かつプリントに適した解像度の画像を載せてプリントが可能である。
【０１７４】
請求項１６及び請求項３５に記載の発明では、ホームページで、表示用にアップロードされた画像から、所定の表示サイズに縮小した画像を生成することで、表示すべき画像のファイルサイズも小さくなるので、転送時間も短くなり、表示のパフォーマンスが向上する。
【０１７５】
請求項１７及び請求項３６に記載の発明では、ホームページで、画像以外の箇所からそれらの画像をプリントするためのサイトまたはページにリンクが張られることで、プリントに適した解像度の画像を載せてプリントが可能である。
【０１７６】
請求項１８及び請求項３７に記載の発明では、ホームページに、プリント機能の利用を制限する機能を付加することで、例えばプリントが欲しい人は画像の管理者に問い合わせるしかなく、画像を無断でプリントされるのを防げることができる。
【０１７７】
請求項１９及び請求項３８に記載の発明では、制限とは、画像の管理者に対する許可を必要とすることで、例えばプリントが欲しい人は画像の管理者に問い合わせるしかなく、画像を無断でプリントされるのを防げることができる。
【０１７８】
請求項１０、請求項２９及び請求項３５に記載の発明では、画像の複数回アップロードする必要がなくなり便利である。
【図面の簡単な説明】
【図１】プリント注文システム及びプリント注文方法の実施の形態を示す図である。
【図２】画像アップロード前の画面である。
【図３】画像アップロード後の画面である。
【図４】注文画面を示す図である。
【図５】メールでプリント許可を与えるための画面を示す図である。
【図６】プリント注文システム及びプリント注文方法の他の実施の形態を示す図である。
【図７】プリント注文システム及びプリント注文方法の他の実施の形態を示す図である。
【図８】アップロードする時の命令により実際のホームページの運用が違ってくることを説明する図である。
【図９】アップロードする時の命令により実際のホームページの運用が違ってくることを説明する図である。
【図１０】プリント注文画面を示す図である。
【符号の説明】
１  ネットワーク
２  注文受付サーバ
３  ホームページプロバイダ
４  ホームページ管理者端末
【図１】
2004258938.tif 000003
【図２】
2004258938.tif 000004
【図３】
2004258938.tif 000005
【図４】
2004258938.tif 000006
【図５】
2004258938.tif 000007
【図６】
2004258938.tif 000008
【図７】
2004258938.tif 000009
【図８】
2004258938.tif 000010
【図９】
2004258938.tif 000011
【図１０】
2004258938.tif 000012